(57)【要約】【課題】本発明の目的は、表示性能に優れる表示部を備えたスイッチ装置を提供することである。【解決手段】筐体６０に対して相対移動するように操作を受け付ける操作受付部としてのダイヤルノブ７０と、筐体６０に配置される表示部であって、第１の光を発する第１光源１０と、光が透過することで第１の情報２０ａを提示する第１情報提示部２０を有し、第１の情報２０ａが提示されるように第１光源１０からの光路上に配置される第１提示部２２と、第１の光とは異なる第２の光を発する第２光源１５と、光を反射または屈折することで第２の情報２５ａを提示する第２情報提示部２７と、第２光源１５からの光を前記第２情報提示部２７へと導く導光部２６とを有した第２提示部２５と、を備える表示部と、を有してスイッチ装置を構成する。【選択図】図１
2020113472.tif 000002
【特許請求の範囲】
【請求項１】
筐体に対して相対移動するように操作を受け付ける操作受付部と、
前記筐体に配置される表示部であって、
第１の光を発する第１光源と、
光が透過することで第１の情報を提示する第１情報提示部を有し、前記第１の情報が提示されるように前記第１光源からの光路上に配置される第１提示部と、
前記第１の光とは異なる第２の光を発する第２光源と、
光を反射または屈折することで第２の情報を提示する第２情報提示部と、前記第２光源からの光を前記第２情報提示部へと導く導光部とを有した第２提示部と、を備える表示部と、
を有するスイッチ装置。
【請求項２】
前記操作受付部は、回転可能なダイヤルノブである、請求項１に記載のスイッチ装置。
【請求項３】
前記第２情報提示部は、前記第２の情報の形態に適合するように配置された複数の凹部、または複数の凸部である、請求項１又は２に記載のスイッチ装置。
【請求項４】
前記第１情報提示部と前記第２情報提示部との少なくとも一部は、前記第１提示部及び前記第２提示部における表示方向に沿って重ねて配置されている、請求項１から３のいずれか１項に記載のスイッチ装置。
【請求項５】
前記第１提示部及び前記第２提示部を挟んで前記第１光源及び前記第２光源の反対側において、少なくとも前記第１情報提示部及び前記第２情報提示部からの光の透過を減少させる光量減少部を前記筐体に固定されて備える、請求項１から４のいずれか１項に記載のスイッチ装置。
【請求項６】
前記透過率は、前記第１光源及び前記第２光源のうちの少なくとも一方が消光しているときに、前記消光している光源に対応する情報提示部が、前記光量減少部を通して視認できないように設定されている、請求項１から５のいずれか１項に記載のスイッチ装置。
【請求項７】
前記第１発光部の発光状態と、前記第２発光部の発光状態とを調整する調整部であって、発光している対象を、前記第１発光部と前記第２発光部とのいずれか一方とするように調整する調整部を備える、請求項１から６のいずれか１項に記載のスイッチ装置。
【発明の詳細な説明】
【技術分野】
【０００１】
本発明は、スイッチ装置に関する。
【背景技術】
【０００２】
従来の技術として、第１の光源、第２の光源、第１表示部材、第２表示部材、及び、導光板を備えた表示装置が開示されている（例えば、特許文献１参照）。
【０００３】
この先行技術に記載された表示装置において、第２表示部材は、光を透過する透過領域と光を透過しない不透過領域とにより形成された第２の表示パターンを有している。一方、第１表示部材は、背面から入射した光を拡散して正面から出射する拡散面と、拡散面の少なくとも一方の面に設けられた第１の表示パターンとを有し、第１入射面を介して入射した第１の光源からの光を内部で伝搬させて出射面から第１表示部材へ向けて出射させると共に、第２入射面を介して入射した第２の光源からの光を透過して出射面から第１表示部材へ向けて出射させる導光部材との組み合わせで、第１の表示パターンを実現している。
【先行技術文献】
【特許文献】
【０００４】
【特許文献１】特開２０１６−７１０７７号公報
【発明の概要】
【発明が解決しようとする課題】
【０００５】
特許文献１の装置は、第１表示部材、第２表示部材、及び導光部材を重ねて組み合わせ、第１の光源、第２の光源の発光を切り替えることにより、第１の表示パターンと第２の表示パターンの表示を切り替えて表示する制御を行なっている。しかし、特許文献１に記載された装置の切り替え表示部を備えたスイッチ装置を構成する場合には、スイッチ操作により表示部が動き、表示の見栄えの問題が生じるという課題があった。
【０００６】
したがって、本発明の目的は、表示性能に優れる表示部を備えたスイッチ装置を提供することである。
【課題を解決するための手段】
【０００７】
上記目的を達成するため、筐体に対して相対移動するように操作を受け付ける操作受付部と、前記筐体に配置される表示部であって、第１の光を発する第１光源と、光が透過することで第１の情報を提示する第１情報提示部を有し、前記第１の情報が提示されるように前記第１光源からの光路上に配置される第１提示部と、前記第１の光とは異なる第２の光を発する第２光源と、光を反射または屈折することで第２の情報を提示する第２情報提示部と、前記第２光源からの光を前記第２情報提示部へと導く導光部とを有した第２提示部と、を備える表示部と、を有するスイッチ装置を提供する。
【０００８】
本発明のスイッチ装置によれば、表示性能に優れたものとすることができる。
【図面の簡単な説明】
【０００９】
【図１】図１は、本発明の実施の形態に係るスイッチ装置の概略構成を示す説明図である。
【図２】図２は、第１提示部、第２提示部の部分詳細断面図である。
【図３】図３は、図１において上方向からみたときのスイッチ装置の表示部の表示の一例を示す情報提示図である。
【図４】図４（ａ）は、本発明の実施の形態に係るスイッチ装置において、第１の情報を提示する場合の動作を示す断面図であり、図４（ｂ）は、図４（ａ）において上方向からみたときの第１の情報の提示例を示す図である。
【図５】図５（ａ）は、本発明の実施の形態に係るスイッチ装置において、第２の情報を提示する場合の動作を示す断面図であり、図５（ｂ）は、図５（ａ）において上方向からみたときの第２の情報の提示例を示す図である。
【図６】図６（ａ）は、表示マーク部と非表示部における、スモークパネルあり、なしの場合の表示輝度を比較するための図であり、図６（ｂ）は、測定ポイントを説明するための図である。
【図７】図７は、スモークパネルの透過する光の波長と透過率の関係を一例として示す図である。
【００１０】
（本発明の実施の形態に係るスイッチ装置１）
本発明の実施の形態に係るスイッチ装置１は、筐体６０に対して相対移動するように操作を受け付ける操作受付部としてのダイヤルノブ７０と、筐体６０に配置される表示部であって、第１の光を発する第１光源１０と、光が透過することで第１の情報２０ａを提示する第１情報提示部２０を有し、第１の情報２０ａが提示されるように第１光源１０からの光路上に配置される第１提示部２２と、第１の光とは異なる第２の光を発する第２光源１５と、光を反射または屈折することで第２の情報２５ａを提示する第２情報提示部２７と、第２光源１５からの光を前記第２情報提示部２７へと導く導光部２６とを有した第２提示部２５と、を備える表示部と、を有して構成されている。例えば、筐体６０を車両等の搭載対象機器に取り付けることにより、スイッチ装置１を対象機器に搭載することができる。
【００１１】
ダイヤルノブ７０におけるスイッチ動作は、操作者がダイヤルノブ等を操作して、筐体６０に対する回転操作等の移動操作をして、スイッチ動作をさせるものである。ダイヤルノブによる操作では、図３で示すＲ方向にダイヤルノブ７０を回転させることにより回転角度に対応した回転位置入力を行なう。なお、操作受付部として、筐体６０に対する移動操作は回転に限られず、押下操作等によるプッシュ操作、傾倒操作等によるレバー操作等であってもよい。本実施の形態では、表示部３のまわりに配置され、表示部３を中心にして回転可能なダイヤルノブ７０を備えた操作受付部として説明する。
【００１２】
（表示部３）
表示部３は、図１に示すように、第１光源１０、第１提示部２０、第２光源１５、第２提示部２５を有して構成され、これらはすべて、筐体６０に固定されている。
【００１３】
（光量減少部５）
光量減少部５は、第１提示部２０及び第２提示部２５を挟んで第１光源１０及び第２光源１５の反対側において、少なくとも第１情報提示部２２及び第２情報提示部２７からの光の透過を減少させるように構成されている。この光量減少部５は、表示部３と同様に、筐体６０に固定されている。
【００１４】
光量減少部５は、例えば、本実施の形態で使用する光の波長域において、所定の透過率により、ほぼ等しく光量を減少させることができるスモークパネルである。光量減少部５は、例えば、所定の透過率のアクリル樹脂（ＰＭＭＡ）、ポリカーボネート樹脂（ＰＣ）等が使用できる。なお、所定の透過率は、本実施の形態で使用する光の波長域、すなわち、可視領域において所定の透過率を有していればよい。
【００１５】
本実施の形態では、図１に示すように、光量減少部５の表面５ａが表示部３により表示される情報を見るための表示面として機能する。光量減少部５は、第１提示部２０及び第２提示部２５における表示方向（ＬＯ方向）の外面に配置される。
【００１６】
表示部３を支持する筐体６０上には、図１に示すように、筒状のダイヤルノブ７０のノブホルダ部７１に回転可能に嵌合して、ダイヤルノブ７０が回転可能な状態で支持する回転支持部６２が固定されている。これにより、ダイヤルノブ７０は、表示部３のまわりに、表示部３を中心にして回転可能となる。
【００１７】
ダイヤルノブ７０は、筐体６０に対して回転可能な回転ノブである。ダイヤルノブ７０を回転操作することにより、回転角の入力等の回転入力操作を行なうことができる。図１に示すように、例えば、回転支持部６２上に回転検出部８０が設けられ、ダイヤルノブ７０の内周部７０ａにエンコーダ部８１が設けられている。例えば、回転検出方式が光を出射して反射光により回転を検出する光学的回転検出の場合は、回転検出部８０がフォトセンサ（発光。受光素子）であり、エンコーダ部８１が光の反射、非反射を行なうエンコーダ板等である。回転検出部８０で検出した回転検出信号Ｓｒは、制御部９０に入力される。なお、回転検出方式は、光学的回転検出には限られず、磁気的回転検出等であってもよい。
【００１８】
図１に示すように、筐体６０の上部には、枠部６を介して、光量減少部５が取り付けられている。光量減少部５は、遮光樹脂で形成された枠部６で支持される。表示部３（光量減少部５）の所定範囲は、第１の情報及び第２の情報が表示される表示範囲として機能する。なお、光量減少部５と枠部６は、２色成形で形成されてもよい。２色成形は、ダブルモールドとも呼ばれ、一台の射出成形機に２つの射出シリンダーと２つの金型が付いており、金型内で異種材を熱溶着させるものである。例えば、光量減少部５が所定の透過率を有するアクリル樹脂、枠部６が遮光樹脂の異種材を２色成形することができる。
【００１９】
図１に示すように、第１光源１０から第１提示部２０までの第１光路と、第２光源１５から第２提示部２５の第２情報提示部２７までの第２光路を分離し、第１光路と第２光路の間に、光の透過を遮る遮光部４１を備えている。遮光部４１は、第１光源１０から第１情報提示部２２までと第２光源１５から第２情報提示部２７までとの少なくとも一部の間に、光の透過を遮るものである。遮光部４１は、例えば、遮光性を有する樹脂で形成することが好ましい。遮光部４１は、第１光路と第２光路の間の光の透過を遮る位置において、ベース底部６１に設けられている。また、遮光部４１は、例えば、ベース底部６１に固定されている。なお、遮光部４１の配置場所は、ベース底部６１に限るものではなく、第１光路と第２光路との間において、光の透過を遮るように配置されていれば、どのように配置されていてもよい。
【００２０】
（第１光源１０）
第１光源１０は、例えば、ＬＥＤ(Light Emitting Diode)素子が使用できる。本実施の形態では、第１光源１０として第１の光Ｌ１を発するＬＥＤ素子を使用する。第１光源１０の光Ｌ１は、所定の色（波長）を有し、調整部９０により、電流量を調整することにより発光、消光、点滅等の制御ができ、また、光Ｌ１の強さも任意に制御可能である。
【００２１】
（第２光源１５）
第２光源１５は、例えば、ＬＥＤ(Light Emitting Diode)素子が使用できる。本実施の形態では、第１光源１０とは異なる第２の光Ｌ２を発するＬＥＤ素子を使用する。第２光源１５の光Ｌ２は、所定の色（波長）を有し、調整部９０により、第１光源１０とは独立して、電流量を調整することにより発光、消光、点滅等の制御ができ、また、光Ｌ２の強さも任意に制御可能である。
【００２２】
（第１提示部２０）
第１提示部２０は、第１光源１０からの光Ｌ１が透過することで第１の情報２０ａを提示する第１情報提示部２２を有し、筐体６０に固定されている。
【００２３】
図２に示すように、第１提示部２０は、アクリル樹脂（ＰＭＭＡ）、ポリカーボネート樹脂（ＰＣ）等の透明樹脂の板材、または柔軟性を有したフィルムにて形成されている。さらに、第１提示部２０の片面には、例えば、塗装部２１ａ，白抜き部２１ｂが形成されることにより、第１情報提示部２２が形成されている。すなわち、第１の情報２０ａは、図３、図４（ｂ）に示すように、塗装部２１ａにより第１光源１０からの光Ｌ１を遮光し、白抜き部２１ｂを透過した光Ｌ１によって提示される。この第１の情報２０ａは、例えば、図３、図４（ｂ）に示す、上向きの矢印である。第１の情報２０ａは、記号、文字、数字、マーク等、種々の情報を提示可能である。
【００２４】
（第２提示部２５）
第２提示部２５は、第２光源１５から発せられ、導光部２６によって導かれた光Ｌ２２を反射することで第２の情報２５ａを提示する第２情報提示部２７、を有して構成されている。第２提示部２５は、図１に示すように、筐体６０に固定されている。
【００２５】
図２に示すように、第２提示部２５は、アクリル樹脂（ＰＭＭＡ）、ポリカーボネート樹脂（ＰＣ）等の透明樹脂により、少なくとも、一か所において屈曲部を備え、本実施の形態では、Ｌ字状に形成されている。
【００２６】
第２提示部２５は、図１に示すように、下端部２５ｂから光Ｌ２が導光部２６に入射する。図２に示すように、導光部２６に入射した光Ｌ２１は、導光部２６の中を導光され、光路変更部２８で光路が変更される。光路変更部２８は、図２に示すように、導光部２６から、導光部２６の中で内面反射により光の光路を第２情報提示部２７側に向かって変更する部位である。本実施の形態では、第２提示部２５はＬ字状に形成されており、光路変更部２８は、その屈曲部に形成された反射面である。なお、光路変更部２８は、外面に反射膜等を形成する処理を施してもよい。
【００２７】
第２提示部２５の第２情報提示部２７は、図２に示すように、例えば、第２の情報２５ａの形態に適合するように配置された複数の凹部２７ａで形成されている。例えば、凹部２７ａは、第２情報提示部２７を、情報提示部の厚さ方向に窪ませた窪みである。凹部２７ａは、例えば、５０μｍのエッチングで形成されている。凹部２７ａは、光路変更部２８で光路が変更された光Ｌ２２を反射させて、出射面２５ｃから図１に示すＬＯの方向に光を出射して第２の情報２５ａを提示する。なお、第２情報提示部２７として機能する構造は、凹部２７ａに限るものではない。例えば、第２情報提示部２７から、第２情報提示部２７の厚さ方向に突出した複数の凸部であっても良い。
【００２８】
凹部２７ａは、図３、図５（ｂ）で示す右矢印である第２の情報２５ａの範囲内に形成されている。この凹部２７ａが形成された範囲から、図１に示すＬＯの方向に出射面２５ｃから光が出射されて第２の情報２５ａを提示（表示）する。この第２の情報２５ａは、例えば、図３、図５（ｂ）に示す、右向きの矢印である。第２の情報２５ａは、記号、文字、数字、マーク等、種々の情報を提示可能である。
【００２９】
（スイッチ装置１の表示部３の動作）
表示部３は、図１に示すように、第１光源１０、第２光源１５の発光制御、消光制御を行なうための調整部９０を備えている。調整部９０は、第１光源１０、第２光源１５と接続されている。また、調整部９０は、第１光源１０、第２光源１５を発光、消光制御する制御信号Ｓｃが入力される。
【００３０】
（調整部９０）
調整部９０は、制御信号Ｓｃ、オンオフ信号Ｓof１、Ｓof２等に従って、第１光源１０、第２光源１５を発光、消光制御するように構成されている。例えば、オンオフ信号Ｓof１、Ｓof２＝highでオン、Ｓof１、Ｓof２＝Lowでオフとする。調整部９０は、所定の処理等を実行するために、記憶されたプログラムに従って演算、動作を行うＣＰＵ（Central Processing Unit）、半導体メモリであるＲＡＭ（Random Access Memory）及び記憶部としてのＲＯＭ（Read Only Memory）などから構成されるマイクロコンピュータを備えている。また、第１光源１０、第２光源１５を電流駆動するための駆動部を備えることができる。なお、調整部９０は、マイクロコンピュータを備えた構造に限るものではない。調整部９０は、例えば、表示部３の操作に応じたオンオフ信号Ｓofにより、第１光源１０、第２光源１５を発光、または消光するように、接点が導通または遮断されるスイッチであってもよい。
【００３１】
（第１の情報の提示動作）
調整部９０は、オンオフ信号をＳof１＝high、Ｓof２＝Lowとすることにより、第１光源１０を発光させ、第２光源１５を消光させる制御を行なう。これにより、第１の情報２０ａのみを提示する切り替え表示ができる。
【００３２】
図４（ａ）に示すように、第１光源１０から出射された光Ｌ１は、第１光源１０から第１提示部２０までの第１光路を通って第１提示部２０に入射する。光Ｌ１は、塗装部２１ａの部分では遮光され、白抜き部２１ｂを透過する。この第１提示部２０を透過した光は、第１提示部２０から図４（ａ）に示すＬＯ方向に出射されて、第１の情報２０ａを提示（表示）する。この第１の情報２０ａは、例えば、図４（ｂ）に示す、上向きの矢印である。
【００３３】
ここで、図６（ａ）に示すように、表示マーク部である第１の情報２０ａは、図６（ｂ）に示す測定ポイントＡに対応して、スモークパネルの透過率Ｔ（％）により、スモークパネルありにおける輝度Ｋ１は、スモークパネルなしに比べて（１００−Ｔ）％減の輝度Ｋ２となる。
【００３４】
一方、非表示部は、図６（ｂ）に示す測定ポイントＢに対応して、同様に、スモークパネルの透過率Ｔ（％）により、スモークパネルありにおける輝度Ｋ３は、スモークパネルなしに比べて（１００−Ｔ）％減の輝度Ｋ４となる。
【００３５】
スモークパネルの透過率Ｔは、図６（ａ）に示すように、輝度Ｋ２の表示マーク部が光量減少部５（スモークパネル）を通して視認でき、輝度Ｋ４の非表示部が光量減少部５（スモークパネル）を通して視認できない程度の透過率であることが好ましい。なお、視認できないとは、人間が目で視て確認できないことであるが、人間が目で視て確認できないと感ずる程度であればよい。
【００３６】
スモークパネルの透過率Ｔは、例えば、１０〜２０％である。本実施の形態では、図７に示すように、一例として、可視領域において１７％である。このスモークパネルは、例えば、図７に示すように、透過する光の透過率の波長域における変化によって色の変化が生じない程度に、使用する光の波長域において透過率が一定の１７％である。これにより、スモークパネルとしての光量減少部５は、グレー色のフィルターとして機能する。
【００３７】
第１光源１０から出射された光Ｌ１は、遮光部４１により、第２提示部２５が備える導光部２６に入射することを低減できる。
【００３８】
上記の動作により、調整部９０は、第１の情報２０ａを提示することができる。光量減少部５（スモークパネル）は、上記説明したように、第１の情報の提示動作において、表示マーク部である第１の情報２０ａが光量減少部５（スモークパネル）を通して視認でき、第２の情報２５ａを視認できないように機能する。これにより、非表示側のシンボルすけ、背景すけが低減される。
【００３９】
（第２の情報の提示動作）
調整部９０は、オンオフ信号をＳof１＝Low、Ｓof２＝highとすることにより、第１光源１０を消光させ、第２光源１５を発光させる制御を行なう。これにより、第２の情報２５ａのみを提示する切り替え表示ができる。
【００４０】
図５（ａ）に示すように、第２光源１５から出射された光Ｌ２は、第２提示部２５の導光部２６に入射する。図２、図５（ａ）に示すように、導光部２６に入射した光Ｌ２１は、導光部２６の中を導光され、光路変更部２８で光路が変更されて光Ｌ２２となる。
【００４１】
図２、図５（ａ）に示すように、光Ｌ２２は、第２情報提示部２７で反射され、出射面２５ｃから図５（ａ）に示すＬＯの方向に出射して第２の情報２５ａを提示する。この第２の情報２５ａは、例えば、図５（ｂ）に示す、右向きの矢印である。
【００４２】
第２光源１５から出射された光Ｌ２は、遮光部４１により、第１提示部２０に入射することを低減できる。
【００４３】
上記の動作により、調整部９０は、第２の情報２５ａを提示することができる。第２の情報の提示動作においても、第１の情報の提示動作と同様に、光量減少部５（スモークパネル）は、第２の情報の提示動作において、表示マーク部である第２の情報２５ａが光量減少部５（スモークパネル）を通して視認でき、第１の情報２０ａを視認できないように機能する。これにより、非表示側のシンボルすけ、背景すけが低減される。
【００４４】
（非表示制御）
調整部９０は、オンオフ信号をＳof１＝Low、Ｓof２＝Lowとすることにより、第１光源１０を消光させ、第２光源１５を消光させる制御を行なう。すなわち、第１光源及び前記第２光源が消光している場合、消光している光源に対応する情報提示部が、光量減少部を通して視認できない。これにより、第１の情報２０ａの提示、第２の情報２５ａの提示は行なわれない。
【００４５】
第１光源１０及び第２光源１５を消光させた場合は、図６（ａ）に示すように、輝度Ｋ４の非表示部が光量減少部５（スモークパネル）を通して視認できない。すなわち、光量減少部５（スモークパネル）を通して、第１の情報２０ａ及び第２の情報２５ａを視認できない。これにより、ブラックアウト状態となり、表示部はブラックアウトパネルとして機能する。
【００４６】
（実施の形態の効果）
本発明の実施の形態によれば、以下のような効果を有する。
（１）本発明の実施の形態に係るスイッチ装置１は、筐体６０に対して相対移動するように操作を受け付ける操作受付部としてのダイヤルノブ７０と、筐体６０に配置される表示部であって、第１の光を発する第１光源１０と、光が透過することで第１の情報２０ａを提示する第１情報提示部２０を有し、第１の情報２０ａが提示されるように第１光源１０からの光路上に配置される第１提示部２２と、第１の光とは異なる第２の光を発する第２光源１５と、光を反射または屈折することで第２の情報２５ａを提示する第２情報提示部２７と、第２光源１５からの光を前記第２情報提示部２７へと導く導光部２６とを有した第２提示部２５と、を備える表示部と、を有して構成されている。表示部３は、筐体６０に取り付け固定されているので、ダイヤルノブ７０の回転操作等のノブ操作時においても、表示部３が動いてしまう等の問題がなく、表示性能に優れる表示部を備えたスイッチ装置１を提供することができる。
（２）また、スイッチ装置１に光量減少部５（スモークパネル）を適用する場合は、光量減少部５（スモークパネル）を通して第１の情報２０ａまたは第２の情報２５ａを視認することになり、非表示側のシンボルすけ、背景すけが低減される。
（３）また、第１光源１０及び第２光源１５を消光させた場合は、光量減少部５（スモークパネル）を通して、第１の情報２０ａ及び第２の情報２５ａを視認できない。これにより、ブラックアウト状態となり、表示部はブラックアウトパネルとして機能する。
（４）また、スイッチ装置１において、ダイヤルノブ７０を回転操作することにより、回転操作量の入力を行なうことができる。調整部９０は、この回転操作による出力値に基づいて、例えば、切り替え表示された第１の情報、又は第２の情報に対応した処理を実行させることができる。
【００４７】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４８】
１…スイッチ装置、３…表示部、５…光量減少部、５ａ…表面、６…枠部、１０…第１光源、１５…第２光源、２０…第１提示部、２０ａ…第１の情報、２１ａ…塗装部、２１ｂ…白抜き部、２２…第１情報提示部、２５…第２提示部、２５ａ…第２の情報、２５ｂ…下端部、２５ｃ…出射面、２６…導光部、２７…第２情報提示部、２７ａ…凹部、２８…光路変更部、４１…遮光部、６０…筐体、６１…ベース底部、６２…回転支持部、７０…ダイヤルノブ、７０ａ…内周部、７１…ノブホルダ部、８０…回転検出部、８１…エンコーダ部、９０…調整部、Ｌ１、Ｌ２、Ｌ２１、Ｌ２２…光、Ｓｃ…制御信号、Ｓof１、Ｓof２…オンオフ信号、Ｔ…透過率、ＬＯ…表示方向、Ｓｒ…回転検出信号
【図１】
2020113472.tif 000003
【図２】
2020113472.tif 000004
【図３】
2020113472.tif 000005
【図４】
2020113472.tif 000006
【図５】
2020113472.tif 000007
【図６】
2020113472.tif 000008
【図７】
2020113472.tif 000009